Podtech/llm-jp-corpus-v4-ja_patent huggingface dataset:
(57)【要約】      （修正有）【課題】１現場の基礎工事において、２回以上のコンクリートの打設と型枠の施工や解体工事が不要とし、工事期間が短くなり、さらに型枠の搬入搬出作業や保管が発生せず、工事費が高額とならず、さらに床下空間の湿気対策が問題とならない基礎工事システムを提供する。【解決手段】デッキプレート１と鉄筋５とアンカーボルト３の金物とコンクリート４で基礎工事を行うシステムであって、デッキプレート１を利用した型枠工事を施工し、このデッキプレート１に鉄筋５とアンカーボルト３を溶接し、コンクリート４を打設し、基礎工事が完成し、デッキプレート１は解体せずに、仕上げ材にもなるスマート基礎工事システムである。【選択図】図１
2013189841.tif 000002
【特許請求の範囲】
【請求項１】
構成要素はデッキプレートと鉄筋とアンカーボルトの金物とコンクリートで基礎工事を行うシステムであって、デッキプレートを利用した型枠工事を施工し、このデッキプレートに鉄筋とアンカーボルトを溶接し、コンクリートを打設し、基礎工事が完成し、デッキプレートは解体せずに、仕上げ材にもなるスマート基礎工事システム。
【発明の詳細な説明】
【技術分野】
【０００１】  本発明は基礎工事や型枠工事の型枠にデッキプレートを取り入れた基礎工事に関する。
【背景技術】
【０００２】  従来の住宅基礎においては、鋼製型枠又は木製型枠を固定し、コンクリートを打設し、コンクリートが固まった後に型枠を解体し、また、型枠を固定し、コンクリートを打設し、コンクリートが固まった後に型枠を解体する工事が一般である。
【発明の概要】
【発明が解決しようとする課題】
【０００４】  以上に述べた従来の住宅基礎工事は、鋼板型枠又は木製型枠を利用し、現場毎に搬入し、施工し、解体し、搬出を繰り返すために、運送経費や保管経費が必要となる。【０００５】  また、従来の住宅基礎工事においては、鋼板型枠又は木製型枠を利用し、１現場毎にベース基礎工事と布基礎工事の２段工程の工事が必要となり、コンクリートの打設が２回必要となり、基礎工事が高額になる。【０００６】  さらに、従来の住宅基礎においては、布基礎部分の床下空間に湿気が発生しやすく、土台の腐れや白蟻の発生する要因がある。【０００７】  本発明は、従来の課題に着目したものであり、型枠にデッキプレートを利用し、作業工程の省略や短縮することが可能となり、さらにコンクリートの打設を１回にすることにより、シンプルで大幅なコストダウンすることを目的とする。
【発明が解決するための手段】
【０００８】上記の課題解決手段は、デッキプレートと鉄筋とアンカーボルトの金物とコンクリートで基礎工事を行うシステムであって、デッキプレートを型枠として施工し、このデッキプレートに鉄筋とアンカーボルトを溶接し、コンクリートを打設し、溶接したデッキプレートは解体せずに、仕上げ材にもなるスマート基礎工事システム。
【発明の効果】
【０００９】  上述したように本発明のスマート基礎工事システムは、デッキプレートと鉄筋とアンカーボルトを溶接することにより、基礎工事の金物がすべて一体なり、より強度な配筋となり、さらにシンプルな施工方法である為に工事費が安価になる。
【図面の簡単な説明】
【００１０】
【図１】本発明の実施形態を示す構成面図である。
【発明を実施するための形態】
【００１１】  以下、本発明の実施形態を図１に基づいて説明する。
【００１２】  本発明の基礎断面を図１に示す。デッキプレート１に鉄筋５とアンカーボルト３を溶接し、コンクリート４を打設した基礎断面図である。
【００１３】  この発明の実施形態に示す図１において、従来のベタ基礎工事と同様に砕石７を施工し、防湿シート６を施工した上に、鉄筋５を配筋する。
【００１４】  この発明の基礎工事は、従来のベタ基礎工事の配筋工事が完成した後に、基礎の基準値の高さにデッキプレート１を施工し、鉄筋５をデッキプレートが倒れない程度にスポット溶接を行い、本来の鋼板型枠又は木製型枠の代わりとなる。
【００１５】  さらに、ベタ基礎のレベルを設定するために、アンカーボルト３を鉄筋に溶接し、コンクリート４の打設値をアンカーボルト３に明記し、コンクリート４を打設する。
【００１６】  このコンクリート４を打設した時点で基礎工事が完成となり、使用したデッキプレート１（亜鉛メッキなど）は仕上げ材として使用することが可能でなり、作業工程の省略及び削減することが可能となり、基礎工事が大幅に安価となる。
【００１７】  さらに、本来の鋼板型枠の初期投資費用や木製型枠の制作費用が無くなると同時に、保管場所の確保が必要無くなり、大幅な経費削減になる。
【００１８】  また、この工法のデッキプレート１を利用する事により、ピット基礎工事や地下室基礎工事などの型枠に利用する事が可能となり、型枠製作費用が大幅に削減できる。
【符号の説明】
【００１９】１：デッキプレート
２：土台
３：アンカーボルト
４：コンクリート
５：鉄筋
６：防湿シート
７：砕石
【図１】
2013189841.tif 000003
(57)【要約】      （修正有）【課題】屋根上の積もった雪に載せ、リモコンで操作する事により除雪する、小型ラッセル車を提供する。【解決手段】棟上に水平にレールを取り付け、その上に小型の二輪のトレーラーを組み込み、内部にウインチを入れ屋根上のラッセル車の後部をワイヤーで繋いで巻き上げておく。降雪時にはこれを発進させ、除雪する。除雪用のブレードの幅はシャベルと同じ３０センチから６０センチ程度で良い。ワイヤーの長さは軒先までで良く、除雪が終われば直ちにラッセル車を棟まで巻き上げ、トレーラーは左または右にシャベルの幅だけ平行移動し、ラッセル車は次の除雪作業を行う。寄せ棟屋根の場合もこの応用でレールの高さを適当に下げて四周に水平に取り付け、四隅を丸く作れば一台のラッセル車で大部分の雪を下ろせる。ハンドルを操作して隅棟に添って斜めに除雪させることも可能である。これらはガソリン不要の電気自動車とすればなお安全である。【選択図】図１
2013189839.tif 000002
【特許請求の範囲】
【請求項１】
雪国の屋根の雪下ろしロボットで切り妻屋根の棟の上に水平にアルミ又はステンレス製のレールを取り付けその上に二輪の小型トラックを組み付け車内にウインチを格納する。このワイヤーで繋いだ小型ラッセル車で雪を排除するためのシャベルが幅３０〜５０センチ程度のものを屋根上に乗せる。これらは地上から降雪時にリモコンで発進されて雪を大屋根から軒下へと速やかに排除しつつ屋根全体を真っ直ぐに走り降りすぐに巻き上げられてシャベル幅だけ左または右へ移る。これらは電気自動車とする。これにより危険な人力による雪下ろし事故を防ぐことが出来る。
寄せ棟屋根の場合は図に示した様に棟より１２メートル程度下げてレールを４周に水平に取り付けておけば大部分の雪を一台のラッセル車で下ろせる。ハンドルのリモコン操作をすれば寄せ棟に添って斜めに雪を排除することも可能であろう。
【発明の詳細な説明】
【技術分野】
【０００１】本発明は雪国の屋根に積もる多量の雪を人力によらずに安全に取り除くリモコン操作の自動車に関する。
【背景技術】
【０００２】発明者の調査ではこれまでにこのような発明はいまだ為されていない。報道された事も知らない。【０００３】以下、図１により説明する。片流れ又は切り妻屋根の場合は棟に平行にアルミまたはステンレス製のレールを取り付けそのレールに組み込んで転落しないようにしたごく小型で二輪の箱形トラックを走らせ内部にはウインチをを格納する。このワイヤーで繋いでごく小型のラッセル車を屋根に軒下に向けて取り付ける。降雪時に地上からリモコンで電源を入れ発進すればシャベルの幅３０〜５０センチ程度の幅で雪を落とし、直ちにワイヤーで棟に巻き上げられ右又は左へその幅だけ平行移動して自動的に雪を落として働く。片流れの屋根なら一台でよいが切り妻屋根なら左右にラッセル車を配置する。
寄せ棟屋根の場合は棟から１〜２メートル程度下げてレールを４周に水平に取り付ければラッセル車は一台で大屋根の上部を除く大半の雪を下ろせる。リモコンでハンドル操作すれば寄せ棟に添って斜めに走り降りつつ隅の除雪も可能であろう。
【先行技術文献】
【特許文献】
【特許文献】なし
【０００４】
【発明の概要】
【発明が解決しようとする課題】
【０００５】屋根の雪下ろしには人力によるしかなく豪雪地帯では例年悲惨な死亡事故が多発している。
【解決する為の手段】
【０００６】棟にレールをのせその上にウインチをのせたミニトレーラーを走らせ、屋根上にミニラッセル車を吊りあげておき降雪時に両者を地上からのリモコン操作で働らかせ、安全に除雪が可能となる。
【発明の効果】
【０００７】建物が雪の重量で押してぶされることを防げる。
【図面の簡単な説明】
【０００８】
【図１】住宅屋根の主なる種類における当発明の適用を図示する
【図１】
2013189839.tif 000003
(57)【要約】【課題】道路上の側溝又は踏切内のレールの側溝への落輪防止、その他砂利道での車輪の埋没を防止するために、回転コロの直径が異なる車輪を提供する。【解決手段】回転コロの円周上の一部に直径が異なるこれより大きな円周の回転コロを形成し、通常走行時は直径の大きい回転コロ部で走行することで接地面を小さくして走行できるようにし、直径の小さい回転コロ部で落輪防止と埋没防止ができる回転コロの直径が異なる車輪である。【選択図】図１
2013189178.tif 000002
【特許請求の範囲】
【請求項１】
中心部にシャフト貫通孔を設けてなる適宜大きさの直径の回転コロの円周上の一部に、この円周より適宜大きい直径の円周の回転コロを設けて、大きさの異なる円周を形成してなる回転コロの直径の大きさが異なる車輪。
【請求項２】
中心部にシャフト貫通孔を設けてなる直径が適宜大きさの回転コロの両側部に、この直径より適宜小さい直径の回転コロをそれぞれ接着して大きさの異なる円周の回転コロを形成してなる回転コロの直径が異なる車輪。
【発明の詳細な説明】
【技術分野】
【０００１】本発明は、回転コロの直径が異なる車輪を台車又は、車椅子などにとりつけて、側溝、砂利道などに落輪、車輪が埋没して走行できなくなることを防止するための車輪に関するものである。
【背景技術】
【０００２】従来の台車又は車椅子などは、側溝又は砂利道などでの走行時、落輪又は車輪の埋没を防止できる機能を有した車輪に関するものはなかった。
【先行技術文献】
【０００３】
【特許文献１】特公２００４−４９４９１号公開
【特許文献２】特公２０１２−１１９４６号公開
【発明の概要】
【発明が解決しようとする課題】
【０００４】介護用車椅子や台車などが走行時側道に敷設されている側溝上又は、電車の踏切内の路上のレールの側溝などへ車輪が落輪して動かなくなったり、砂利道上で車輪が砂利に埋没して動かなくなったりする難点があった。本発明は、この危険な難点を解消するためになされたものである。
【課題を解決するための手段】
【０００５】中心部にシャフト貫通孔を設けた大小異なる直径を有した回転コロ１、２をシャフト３を介して車輪軸受５に回転自在に装着して形成した回転コロの直径が異なる車輪を台車又は車椅子に装着するものである。
【発明の効果】
【０００６】直径の大きさが異なる回転コロ１、２を形成する回転コロの直径が異なる車輪を台車又は車椅子に装着することにより、通常の走行をするときは、直径の大きい回転コロ２を使用することにより、接地面を狭くすることができ軽い力で走行でき、さらに直径の小さい回転コロ１が補助輪となり、側溝に落輪することなく、又砂利道においては回転コロ１と２が埋没することなく、簡単に走行できるものである。
【図面の簡単な説明】
【０００７】
【図１】本発明の正面図である。
【図２】本発明の正面断面図である。
【図３】本発明の正面図である。
【図４】本発明の斜視図である。
【発明を実施するための形態】
【０００８】以下、本発明の実施形態について説明する。
（イ）円周の中心部にシャフト貫通孔３を設けた適宜直径の回転コロ１の円周上に、これより直径の大きい回転コロ２を一体化して形成してなる回転コロ１、２にシャフト４を介して車輪軸受５に回転自在に装着してなるものである。
（ロ）円周の中心部にシャフト貫通孔３を設けた適宜大きさの直径の回転コロ２の両側部に、この回転コロ２より直径が適宜小さく、中心部にシャフト貫通孔３を設けた回転コロ１を接着し、シャフト４を介して車輪軸受５に回転自在に装着してなるものである。
【符号の説明】
【０００９】１、直径の小さい回転コロ
２、直径の大きい回転コロ
３、シャフト貫通孔
４、シャフト
５、車輪軸受
【図１】
2013189178.tif 000003
【図２】
2013189178.tif 000004
【図３】
2013189178.tif 000005
【図４】
2013189178.tif 000006
(57)【要約】【課題】１．  太陽電池パネルから効率よく受電し、蓄電池に充電する。２．  ＤＣ−ＤＣコンバータを使用せずに蓄電池に充電する。３．  ＤＣ−ＡＣインバータを使用せず疑似正弦波を生成する。【解決手段】１．  太陽電池パネルの最高電力点に合わせて蓄電池の結線を変えて充電電圧を変える。２．  ＤＣ−ＤＣコンバータを使用せず、スイッチング素子を制御して蓄電池の結線を切り替え太陽電池パネルに接続して充電する。３．  ＤＣ−ＡＣインバータを使用せず、スイッチング素子の結線を切り替え放電電圧及びパルス幅変調（ＰＷＭ）を併用して交流に変換する。【選択図】図３
2013198393.tif 000002
【特許請求の範囲】
【請求項１】
蓄電池を利用した太陽光発電の充放電システム
【発明の詳細な説明】
【技術分野】
【０００１】  太陽光発電システム及び電気自動車分野
【背景技術】
【０００２】  近年、環境保護や資源等の問題から再生可能な自然エネルギーが注目されていますが、自然エネルギーの中で最も利用し易いものとして太陽光発電システムがあります。
しかし技術的に開発途中の分野であり、特に効率の面で開発、改善の余地があります。
また、太陽光発電を利用するには気象等で取り出せる電力が変わり、電力を直接利用する場合以外は蓄電池を使用することになります。
本件は蓄電池を利用する場合に、太陽電池パネルからのエネルギーを効率よく取り出し、効率よく充放電するシステムを提案するものです。
【先行技術文献】
【特許文献】
【０００３】  なし
【非特許文献】
【０００４】  なし
【発明の概要】
【発明が解決しようとする課題】
【０００５】１．  太陽光発電は曇り等による照度や温度変化により図１のように著しく発電能力が変化し最大電力点が変化します。
本件は照度や温度変化により最大電力点が変化した場合でも受電する蓄電池電圧を変え、蓄電池への充電を効率よくするための蓄電方式です。
２．  太陽光発電を蓄電するためには、従来は図２のようにＤＣ−ＤＣコンバータを使用しますが、効率が９０％程度であり、これを高める必要があります。
３．  太陽光発電を利用するには、商用電源との接続が必要な場合があります。
この場合、従来は図２のようにＤＣ−ＡＣインバータを使用しますが、効率が９０％程度であり、これを高める必要があります。
【課題を解決するための手段】
【０００６】１．  太陽電池パネルは素子の種類により若干の違いはありますが、図１のように照度や温度により最大電力点が移動します。
このため本案では、光、温度センサーにより取り出せる最大電力点を計算して、この電圧に近くなるように複数個の蓄電池の結線をスイッチング素子により変えて太陽電池パネルに接続し、細かく充電を行います。
２．  蓄電するためのＤＣ−ＤＣコンバータを使用せず、本案による図３のようにスイッチング素子を使用して蓄電池の結線を切り替えて、蓄電池群の端子電圧を切り替えて直接太陽電池パネルに接続します。
このためスイッチング素子の順方向抵抗のみの損失で済み、極めて効率が高くなります。
同図は蓄電池４個の場合で、スイッチング素子の切り替えにより図４のように、直列、直列−並列、並列接続が可能になり、蓄電池の端子電圧は図５ようになります。
実際では更に多数の蓄電池が使用されるものと思われ、電圧は更に細かく切り替えることが可能になります。
３．  蓄電池から電力を取り出す場合にＤＣ−ＡＣインバータを使用せず、出力側のスイッチング素子による蓄電池電圧の切り替えとスイッチング素子のパルス幅変調（ＰＷＭ）により交流に変換します。
この場合の疑似正弦波は図５のようになりフィルターを使用して基本波を取り出します。
このためスイッチング素子の順方向抵抗のみの損失で済み、極めて効率が高くなります。
なお、スイッチング素子による結線が充電側と放電側で異なる場合は同時使用ができないので、スイッチングによる充放電の切り替えが必要になります。
【発明の効果】
【０００７】  効率が著しく上がるため、太陽電池パネルや装置の小型化、大幅なコストの低減になります。
【図面の簡単な説明】
【０００７】
【図１】  太陽電池パネルの発電特性
【図２】  太陽光発電の蓄電及び充放電方式の比較
【図３】  本案によるスイッチング素子による蓄電池結線切り替えシステム（蓄電池４個を使用した場合）
【図４】  図３による結線切り替え例（直列接続、直列−並列接続、並列接続）
【図５】  電圧の切り替え及びＰＷＭによる疑似正弦波の生成
【発明を実施するための形態】
【０００８】  一般家庭及び産業用としての太陽光発電システム及び電気自動車システム
【実施例】
【０００９】  評価実験中
【産業上の利用可能性】
【００１０】  今後太陽光発電及び電気自動車分野の発展が期待できる
【図１】
2013198393.tif 000003
【図２】
2013198393.tif 000004
【図３】
2013198393.tif 000005
【図４】
2013198393.tif 000006
【図５】
2013198393.tif 000007
(57)【要約】      （修正有）【課題】ペットボトルを逆さまに差し込むことにより倒れにくく安定し水が切れる水切りシートを提供する。【解決手段】ナイロン素材のシート状の物にペットボトルの口径に合わせた穴をくり抜き、その水切りシート１の下にはシンク形態（各種）に合わせたトレーをつけ、切れた水がシンク内にはいる構成とした。【選択図】図１
2013198594.tif 000002
【特許請求の範囲】
【請求項１】
水切りシート（１）を収めるトレー（２）設けた水切りシート。
【発明の詳細な説明】
【技術分野】
【０００１】
本発明は、ペットボトルを洗った時に、逆さまにして水を切る行為に関するものである。
【背景技術】
【０００２】
従来、ペットボトル洗った時に、逆さまにし水を抜きますが、平らな所に置いた状態では、不安定で倒れてしまい整理整頓が出来ませんでした。
【先行技術文献】
【特許文献】
【０００３】
【非特許文献】
【０００４】
【発明の概要】
【発明が解決しようとする課題】
【０００５】
解決しようとする問題点は、ペットボトル洗った時に、逆さまにし水を抜きますが、平らな所に置いた状態では、不安定で倒れてしまい整理整頓が出来ませんでした。ゆえに、家事仕事をスムーズに行えます。本発明は以上のような欠点をなくすために、なされたものである。
【課題を解決するための手段】
【０００６】
本発明は、ペットボトル水切りシート（１）を収めるトレー（２）設けた水切りである。
【発明の効果】
【０００７】
本発明の水切りシートは、ペットボトルを逆さまにした状態でも倒れにくく、シンク周りの整理整頓が可能である。
【図面の簡単な説明】
【０００８】
【図１】本発明の平面図
【図２】本発明の断面図
【図３】本発明のトレーの斜視図
【発明を実施するための形態】
【０００９】
以下、本発明を実施するための最良の形態について説明する。
ナイロン素材のシート状な物にペットボトルの口径に合わせた穴をくり抜き、ペットボトルを逆さまに差し込むことにより、倒れにくく安定し水が切れるシートです。また、シートの下には台所形態（各種）に合わせたトレーをつけ、切れた水がシンク内はいるようにする。
本発明は、以上のような構造である。
この水切りシートを利用する事により、効率的かつ、効果的にペットボトルを洗い流せ整理整頓が可能となる。
【符号の説明】
【００１０】
１    水切りシート
２    トレー
【図３】
2013198594.tif 000003
【図１】
2013198594.tif 000004
【図２】
2013198594.tif 000005
(57)【要約】      （修正有）【課題】果皮と果肉には蝋分が多く含まれ、蝋燭の材料で重宝されるはぜの実だが、食品としての利用されていない種子を加工し、はぜの実の種子加工食品として提供する。【解決手段】カブレ成分の除去方法に蒸気を使い揮発性質のラッコール（ウルシオール）を取り除き、硬くて調理出来無かった種子を、精米機４などで種子のみを選別し水洗い再度乾燥後、フライパン５等で１５分前後焙煎しミル６等で粉末に加工する。【選択図】図１
2013198472.tif 000002
【特許請求の範囲】
【請求項１】
はぜの実の種子を熱処理（蒸し、焙煎）し粉末に加工したもの。
【発明の詳細な説明】
【技術分野】
【０００１】
本発明は、はぜの実の種子加工食品に関するものである。
【背景技術】
【０００２】
はぜのみが食品として利用されたのは、江戸時代中期以前に、はぜの実のアクを抜き後焼いて食すほかすりつぶして捏ね、ハゼ餅として加工されるなど、飢救作物としての利用や酒造りの材料に使われたが、その後今日まで食品としての利用は無い。
その理由はハゼの実の種子内にカブレ成分のラッコール（ウルシオール）が含まれていて、食品としては利用されず、又、種子そのものが非常に硬く煮ても焼いても食べられるやわさに成らなかった事も一つの要因である。
はぜの実は果皮と果肉と種子で構成され果皮と果肉には蝋分が多く含まれていて蝋燭の材料で重宝されたが種子は全く注目されなかった
【先行技術文献】
【特許文献】
【０００３】
【特許文献１】特開２０１０−００００００
【発明の概要】
【発明が解決しようとする課題】
【０００４】
従来、はぜの実の種子の中にカブレ成分のラッコール（ウルシオール）が含まれていて食品としての利用が出来なかった事と、種子が大変硬く食品に加工出来なかった。
【課題を解決するための手段】
【０００５】
本発明は、はぜの実の種子を熱処理、（蒸し、焙煎）しカブレ成分のラッコール（ウルシオール）を揮発発散させカブレ成分を取り除き、その後その種子を挽きし粉末に加工し食品として利用できるようにしたもの。
【発明の効果】
【０００６】
本発明にて種子が粉末に加工され食し可能となる。
食品添加物として利用できる。
挽きした加工品はお茶パックに入れお湯を注ぎお茶として飲用できる。
挽きした加工品は代用コーヒーとして飲用できる。
【図面の簡単な説明】
【０００７】
【図１】図１は全体工程図。
【符号の説明】
【０００８】
１    はぜの実蒸し
２    木蝋抽出、
３    乾燥
４    精米機で種子のみ選別
５    焙煎
６    挽き
【図１】
2013198472.tif 000003
(57)【要約】【課題】従来の電気アンカは体への接触面が小さく体が暖まりにくく、堅くてごつごつしていて快適ではなかった。【解決手段】電気アンカを大きくし、構造を工夫し全体に柔らかみをもたせた。【選択図】図１
2013198711.tif 000002
【特許請求の範囲】
【請求項１】
大きくし、表面をスポンジ様に柔らかくした寝具用電気アンカ
【発明の詳細な説明】
【発明の詳細な説明】
【技術分野】
【０００１】この発明は電気アンカの本体を大きくし、身体に接触する部分の面積を広くし、柔らかくしたものである。
【背景技術】
【０００２】従来の電気アンカは身体に接触する部分が小さく比較的堅いものが多かった。
【発明が解決しようとする課題】
【０００３】これはつぎのような欠点があった。
体を広く速く暖めるには不適である。
寝具の中に堅い電気アンカがあると体にうまくそわなくて違和感が生じる。
本発明は、以上のような欠点をなくすためになされたものである。
【課題を解決するための手段】
【０００４】発熱部（１）、温度調節部（２）を内蔵した金属筒（３）のまわり全体にスポンジ様熱伝導性の良い物質（４）を厚くまく。（４）の表面全体を毛布（５）で包む。
全体の形を体になじみやすい紡錘形にする。
【発明を実施するための形態】
【０００５】本発明は以上のような構成であるから、睡眠時に体とアンカが広い面積で柔らかく接し快適に体を暖めることができる。
【発明の効果】
【０００６】本発明のアンカが体を快適に暖める効果と共にその柔らかさと大きな接触感から快適な睡眠が期待できる。
またその大きさと柔らかさから、腹部、背中、下肢などを暖めることが容易になり体の血液の循環が良くなり安眠と医療効果が期待できる。
【図面の簡単な説明】
【図１】  本発明の斜視図
【図２】  本発明の左側面図
【図３】  本発明の水平断面図
【符号の説明】１  発熱部
２  温度調節部
３  金属筒
４  スポンジ様熱伝導物質
５  毛布
６  空気孔
【図１】
2013198711.tif 000003
【図２】
2013198711.tif 000004
【図３】
2013198711.tif 000005
(57)【要約】      （修正有）【課題】従来屋内に仏を祀ってあるのは仏壇で、位牌や仏像を崇拝するのみで、墓参したような実感はなかった。そのような欠点をなくすためになされた。【解決手段】人形の腹部２に納骨袋３を設置して、墓石同様の崇拝像とした。人形１の腹部２に設けた納骨袋３に分骨を納骨して、住居にいて生前の如く親近感を抱く。【選択図】図１
2013198709.tif 000002
【特許請求の範囲】
【請求項１】
故人の顔貌や死んだ動物ペットに似せた人形と、当該人形の内部に当該故人や動物ペットの分骨を容れた巾着とを用意し、当該人形の内部に当該巾着を内蔵する事を特徴とする御霊人形。
【発明の詳細な説明】
【技術の分野】
【０００１】この発明は一家一族の故人や、飼育中に死んだ愛玩動物の分骨を、人形や縫い包み（以降人形と謂う）の腹部に納骨した御霊人形に関するものである。
【背景技術】
【０００２】従来墓石に似た形状の骨壷を実開昭４−５１９３７号で、又、実開平１−１７８０２４号での位牌や墓石の発明はあったが、人形に納骨したものは無かった。
【発明の開示】
【発明が解決しようとする課題】
【０００３】従来屋内に仏を祀ってあるのは仏壇で、位牌や仏像を合掌するのみで、墓参したような実感はなかった。本発明は、そのような欠点をなくすためになされた。【０００４】故人や死んだ動物ペットに似せた人形の腹部に俗・戒名を刺繍した納骨袋を取付ける。本発明は、動物ペットの縫い包みが製造技術の進歩で再生した如くの形態にできるので、再度愛玩するように納骨により入魂した御霊人形である。
【発明の効果】
【０００５】彼岸、盆其の他の法事で、故人の菩提を弔う一族縁者の集いに止むを得ぬ事情で欠席する場合。又は菩提寺への参詣が困難な住居環境にある人は、身近に安置した御霊人形を弔うことにより、精神的負担を免れることができる。
【発明を実施するための最良の形態】
【０００６】以下、本発明を実施するための最良の形態について説明する。人形躯幹（１）の腹部（２）に、巾着（３）を容れる収納穴（４）を設ける。巾着（８）に分骨を納めたら、収納穴（４）に収納蓋（５）を接着剤で固定して閉じる。本発明は、以上のような構造である。
【図面の簡単な説明】
【０００７】
【図１】本発明の躯幹人形部位図である。
【図２】本発明の頭人形部位図である。
【図３】本発明の縫い包み人形の部位図である。
【符号の説明】
【０００８】１、各種人形２、１−２  ２−３  ３−３腹部３、１−３  ２−４  ３−４巾着４、１−４・５巾着収納穴と蓋５、２−２衣裳６、３−２巾着収納チャック
【図１】
2013198709.tif 000003
【図２】
2013198709.tif 000004
【図３】
2013198709.tif 000005
(57)【要約】【課題】  通常の曲げ加工の六角レンチでは入らない狭い場所でも高いトルクで使用できる六角レンチを提供する。【解決手段】  穴付きボルトの頭部分にハンドル（１）の付いた六角レンチ（２）をはめ込み高いトルクで締め、緩めができることを特徴とする。【選択図】図１
2013198975.tif 000002
【特許請求の範囲】
【請求項１】
穴付きボルトの頭部分にはめ込む方式を用いた、高いトルクで使用できる六角レンチ。
【発明の詳細な説明】
【技術分野】
【０００１】  この発明は、狭い場所でも高トルクで使用できる薄型の六角レンチに関するものである。
【背景技術】
【０００２】  通常の六角レンチが入らない狭い場所、又その状態で締めたり緩めたりする時に高いトルクで使用できる薄型の六角レンチが必要になり考案しました。
【先行技術文献】
【０００３】
【特許文献１】
【非特許文献１】
【発明の概要】
【発明が解決しようとする課題】
【０００４】  本締め、増し締めまでできる薄型の六角レンチが無いことから考案したものである。
【課題を解決するための手段】
【０００５】  穴付きボルトの頭部分に被せる方式を用いた六角レンチです。
【発明の効果】
【０００６】  （イ）狭い場所でも高トルクで使用できる。
（ロ）穴付きボルトの頭に被せる方式だからしっかりと力を加える事ができる。
【図面の簡単な説明】
【０００７】
【図１】  本発明の正面図である。
【図２】  本発明の断面図である。
【発明を実施するための形態】
【０００８】  以下、本発明を実施するための形態について説明する。
穴付きボルトの頭部分に六角レンチ部（１）を被せ六角レンチより伸びた柄（２）で締めたり緩めたりする。
柄（２）は高いトルクでも使用できるように太目にするものである。
【符号の説明】
【０００９】  １  六角レンチ
２  柄
【図１】
2013198975.tif 000003
【図２】
2013198975.tif 000004
(57)【要約】【課題】  平歯車及び、はすば歯車に比較して振動、騒音が低くスラスト過重も発生せず大きな負荷の伝達に耐える歯車の歯切りを行う、軸直角方式円弧はすじ歯車の歯切り盤を提供する。【解決手段】  はすじに拘わらず加工する歯車の軸に対して直角を保ち円弧状に駆動するラックカッターのデータム線にそって歯車素材の基準円が転がり移動をして歯切りをする構造の、軸直角方式円弧はすじ歯車の歯切り盤。【選択図】図１
2013198976.tif 000002
【特許請求の範囲】
【請求項１】
はすじに拘わらず加工する歯車の軸に対して直角を保ち円弧状に駆動するラックカッターのデータム線にそって歯車素材の基準円が転がり移動をして歯切りをする構造の、軸直角方式円弧はすじ歯車の歯切り盤。
【請求項２】
請求項１による歯切り盤で上下スライドテーブル（３）と左右スライドテーブル（４）の駆動プログラムを変更してダブルヘリカルギヤの中間折り返し部分をアールにしたことを特徴とする請求項１に記載の歯切り方法。
【発明の詳細な説明】
【技術分野】
【０００１】  本発明は、円筒歯車の歯すじを軸直角方式で円弧状に切削加工する、歯切り盤に関するものである。
【背景技術】
【０００２】  従来、円筒歯車のはすじを、円弧状にしたものは有ったが、いずれも歯直角法式で幾多の問題てんが残っている。
【発明の開示】
【発明が解決しようとする課題】
【０００３】  円筒歯車の多くは平歯車であるが円滑な回転、高速時の騒音と強度などに問題が有り、それを解決するため、はすじを斜にしたはすば歯車が有るが、スラスト過重（軸方向にかかる過重）を無視した設計は出来ず、また歯車製作における経済的なめんから、歯直角方式を用いるため中心距離の計算にｃｏｓβが記入されるため、整数の中心距離を得るのが困難である。まだ実用化してない軸直角方式円弧はすじ歯車においては、精度はもとより生産性の高い加工方法と歯切り盤が開発されてないのが実状である。
【課題を解決するための手段】
【０００４】  ラックカッターを水平に保ったまま円弧及び斜に往復運動させ、ラックカッターのデータム線に、歯切りをする歯車素材の基準円が転がり移動するようにして歯切りをする軸直角方式円弧はすじ歯車の歯切り盤。
【発明の効果】
【０００５】  円弧はすじ歯車は歯面のいかなる部分も同一アールでなければ正しいかみ合いが出来ない、本発明の歯切盤で製作した歯車は、加工された歯の外アールと内アールはもとより歯先から歯底にいたるまでの任意の位置において同一アールで有るため接触面積が広く理想的な油膜形成が成り立ち円滑な回転、高速回転時の騒音対策及び強度が保てるのである。
【発明を実施するための最良の形態】
【０００６】    以下本発明の実施の形態について説明する。
Ｌ型コラム（１）の垂直面に上下スライドレール（２）を取り付け、さらに上下スライドテーブル（３）とサーボモーターＤ（１８）及びボールネジＢ（１７）を上下駆動用として上下スライドレール（２）に設け、上下スライドテーブル（３）には、サーボモーターＣ（１５）ボールネジＡ（１６）と左右スライドテーブル（４）を組み込みその下方にラックカッター取付台（１３）及びラックカッター（５）、カッター取付板（１４）、の順に装着した。
以上の上下駆動と左右駆動は、電子制御により相互駆動を伴いワークの巾に合わせた円弧、ヘリカル、中心部分がアールのダブルヘリカル、などの往復駆動が行えるようになっている。
Ｌ型コラム（１）の平面には前後スライドレール（１１）を設け、左右スライドレール（１０）、メカニカルテーブル（８）の順に組み付けサーボモーターＡ（９）とボールネジＣ（２２）は左右スライドレール（１０）の前後駆動用として前後スライドレール（１１）に設け、続いてメカニカルテーブル（８）の駆動用としてサーボモーターＢ（１２）とボールネジＤ（２４）を左右スライドレール（１０）の左側面に取り付けた。
メカニカルテーブル（８）の装置は、図２に示す通りであるが回転テーブル（２０）は複合ベアリング（２１）を介してメカニカルテーブル（８）に組み付け回転はサーボモーターＥ（２３）で行うようにした。
メカニカルテーブル（８）と回転テーブル（２０）はワークの歯数に適合した転がり切削送り移動をラックカッター（５）の戻り時にする、左右スライドレール（１０）はラックカッター（５）の破損をさけるため切削直前にラックカッターのデータム線（２６）に歯車素材の基準円（２５）が一致する所まで前進し、ラックカッター（５）が戻る直前に必要最小限後退するように制御されている、尚ラックカッター（５）の切削は上から下の動きで行い戻りは直線である。
本発明は、以上の構成と、平行をたもち円弧あるいは斜めの往復駆動時のラックカッター（５）のデータム線にそって歯車素材の基準円が転がり切削送り移動をしながら歯切りをする方法により成り立っている。
本発明の歯切盤は完全電子制御のため、使用にあたっては歯車素材と歯型サイズに合ったラックカッターのセット後、歯形のサイズ、歯すじの種類、歯数、転位係数など必要事項を入力してスタートボタンを押すだけである。
【図面の簡単な説明】
【０００７】
【図１】本発明の斜視図
【図２】メカニカルテーブル部の分解斜視図
【図３】本発明の加工方法の斜視図
【図４】ラックカッターの平面図
【図５】ラックカッターの正面図
【図６】ラックカッターの円弧駆動を示した図
【図７】軸直角方式円弧歯すじ歯車の完成斜視図
【符号の説明】
【０００８】  １コラム
２上下スライドレール
３上下スライドテーブル
４左右スライドテーブル
５ラックカッター
６ナット
７歯車素材
８メカニカルテーブル
９サーボモーターＡ
１０左右スライドレール
１１前後スライドレール
１２サーボモーターＢ
１３ラックカッター取付台
１４ラックカッター取付板
１５サーボモーターＣ
１６ボールネジＡ
１７ボールネジＢ
１８サーボモーターＤ
１９歯車素材取付次具
２０回転テーブル
２１複合ベアリング
２２ボールネジＣ
２３サーボモーターＥ
２４ボールネジＤ
２５歯車素材の基準円
２６ラックカッターのデータム線
【図１】
2013198976.tif 000003
【図２】
2013198976.tif 000004
【図３】
2013198976.tif 000005
【図４】
2013198976.tif 000006
【図５】
2013198976.tif 000007
【図６】
2013198976.tif 000008
【図７】
2013198976.tif 000009
(57)【要約】【課題】ペットボトル廃棄するときには、ペットボトルを洗浄した水滴の除去、ペットボトルの圧縮、袋への収集の手順が必要となるが、水滴の除去には時間を要し、ペットボトルの圧縮には労力が必要で、それらを収集するのは煩雑であった。本発明は、ペットボトルの廃棄を容易に行える水滴吸収ペットボトル吸引式圧縮機を提供する。【解決手段】吸収体を挿し込んだペットボトルを伸縮自在なチューブで連結し、複数並べた状態でペットボトル内の空気を吸い出すことにより、ペットボトルの圧縮と内部水滴の除去及び、複数のペットボトルのまとめることを容易にする水滴吸収ペットボトル吸引式圧縮機。【選択図】図２−３
2013198908.tif 000002
【特許請求の範囲】
【請求項１】
吸収体１と、
この吸収体１を固定した固定台２と、
この固定台２に取り付けたチューブ３と、
を取り付けた移動台４と、
この移動台４を複数連結した連結台５と、
この連結台５を取り付けた吸引台６と、
を備えたことを特徴とする水滴吸収ペットボトル吸引式圧縮機。
【発明の詳細な説明】
【技術分野】
【０００１】
本発明は、ペットボトル内部の水滴を吸収しながら一度に複数のペットボトルを圧縮し、容易に袋詰めができる、水滴吸収ペットボトル吸引式圧縮機に関するものである。
【背景技術】
【０００２】
ペットボトルの廃棄のためには、洗浄水滴の除去、容器の圧縮、袋詰めが必要である。
従来、家庭内で簡易に利用できる洗浄水滴の除去は水滴の落下による乾燥が主であるため乾燥までに時間を要する問題点があった。（例  特許文献１  参照）
又、ペットボトル容積の圧縮には外部からの加圧によるものと、ペットボトル内の空気を吸引することによる大気圧を利用した方法があるが、家庭内で手軽に利用できるものは一度に処理できる個数が少ないといった問題点があった。（例  特許文献２参照）
【先行技術文献】
【特許文献】
【０００３】
【特許文献１】特許公開２００７−２８４１４２
【特許文献２】特許公開２００２−１２６８９８
【発明の概要】
【発明が解決しようとする課題】
【０００４】
ペットボトルを廃棄するために、洗浄水滴の除去、容積の圧縮、袋詰めを順に行うとき、以下の問題点があった。
（イ）水滴除去のため、圧縮前の容積が大きいペットボトルを長時間保管する必要がある。
（ロ）一度に圧縮できるペットボトルが少数なため圧縮作業が煩雑である。
（ハ）少数のペットボトルを袋詰めするための作業が煩雑である。
本発明は、以上の問題点を解決し、洗浄水滴の除去、容積の圧縮、袋詰めまでを一度に行えるようになされたものである。
【課題を解決するための手段】
【０００５】
すなわち、吸収体１と、
この吸収体１を固定した固定台２と、
この固定台２に取り付けたチューブ３と、
を取り付けた移動台４と、
この移動台４を複数連結した連結台５と、
この連結台５を取り付けた吸引台６と、
を備えたことを特徴とする水滴吸収ペットボトル吸引式圧縮機。
より詳しく記すと、柔軟な素材で構成され、水分の吸水性に富んだ吸収体１をペットボトル内の空気が通過する通気口を有する固定台２に取り付ける。
固定台２に伸縮自在なチューブ３を取り付けた移動台４を設ける。
移動台４を複数連結した連結台５を設ける。
連結台５の動きを支持する溝、連結台５の末端チューブを接続する通気口及び、通気口につながる吸引口を有する吸引台６に連結台５を取り付ける
本発明は、以上の構成よりなる水滴吸収ペットボトル吸引式圧縮機である。
【発明の効果】
【０００６】
ペットボトル内側に付いた水滴は吸収体１を入れるだけでは内部の水滴を十分に吸収できないが、本発明では吸収体１が入った状態でペットボトルを圧縮するため、吸収体１にペットボトルが接触することにより効率良く水滴を吸収することができる。
又、圧縮と同時に固定台２の間隔は自動的に間隔が狭まるため、圧縮後の状態で袋を被せることのより容易に袋詰めを行うことができる。
【図面の簡単な説明】
【０００７】
【図１−１】本発明の組立手順を示す図。
【図１−２】本発明の組立手順を示す図。
【図１−３】本発明の組立手順を示す図。
【図１−４】本発明の組立手順を示す図。
【図１−５】吸収体１、固定台２、チューブ３  の接合部断面図（図１−２のＡ−Ａ’断面）。
【図２−１】吸収体１、固定台２、チューブ３、ペットボトル  の接合部断面図。
【図２−２】本発明の使用状態を示す斜視図。
【図２−３】本発明の使用状態を示す斜視図。
【図２−４】本発明の使用状態を示す斜視図。
【発明を実施するための形態】
【０００８】
以下、本発明の実施形態について図面を例に説明する。
図１−１のように吸収体１を固定台２に取り付ける。（ペットボトルの抜き差しで抜けないようにしっかり取り付ける）
図１−２のように固定台２に伸縮自在なチューブ３を取り付けた移動台４を設ける。
図１−３のように移動台４を複数連結した連結台５を設ける。
図１−４のように連結台５を吸引台６に取り付ける。
本発明を使用するときは、図２−２のように連結台５上の吸収体１にペットボトルを差し込み、さらに固定台２に挿し込む。この時、ペットボトルは吸収体１に支えられ、容易には倒れない。
さらに固定台の挿し込み部分は円錐台形状になっているためペットボトルを固定することができる。
次に吸引台６の吸引口にペットボトル内の空気を吸引する吸引機器（家庭にあるクリーナーなど）を取り付ける。このとき吸引台の挿し込み部分は円錐台形状になっているため吸引機器をしっかり挿し込むことができる。
この吸引機器を稼働させることにより、図２−３のようにペットボトル内部の空気及び、収縮可能なチューブ３内部の空気が吸い出される。
ペットボトル内部の空気が吸い出されることにより潰れる際に、内部に付いた水滴が吸収体１に接触するため、水滴は吸収体１により吸収される。
又、同時にチューブ３も収縮するため、ペットボトル間の間隔も狭まる。
圧縮し、間隔が狭まったペットボトルには図２−４のように容易に収集袋を被せることができる。このとき吸引台６に逆止弁を設けることにより吸引機器を稼動し続けなくてもこの状態を維持できる。
【符号の説明】
【０００９】
１  吸収体、  ２  固定台、  ３  チューブ、  ４  移動台、  ５  連結台、
６  吸引台、  ７  ペットボトル
【図１−１】
2013198908.tif 000003
【図１−２】
2013198908.tif 000004
【図１−３】
2013198908.tif 000005
【図１−４】
2013198908.tif 000006
【図１−５】
2013198908.tif 000007
【図２−１】
2013198908.tif 000008
【図２−２】
2013198908.tif 000009
【図２−３】
2013198908.tif 000010
【図２−４】
2013198908.tif 000011
(57)【要約】【課題】  本発明は回転車輪の外周にエアータンク取り付け  その外側に半円形の樋を取り付け  樋の中をエアータンクが通過出来る様にして  その設備を水槽内に設置したものである  発明の重要な要素は下の樋出口より水逆流させない事であり  その防止策のコの字形幅広パッキンの発明である【解決手段】  図面１にて説明すると  １はエアータンクがスムースに樋内通過できる様に丸み持たせた  コの字形幅広パッキンで有る  ２パッキンの内側に横向きに切れ目を入れたもので有る  切れ目を入れる事によりエアータンクとパッキンの抵抗が少なくなり  パッキンの磨耗が少なくなる  パッキンが奥へ厚くなり水洩れ防止力が大きくなるエアータンクとエアータンク間に隙間が有っても水の逆流を防止出来る  パッキンは樋出口内側に脱着出来る様に付ける【選択図】図１
2013050098.tif 000002
【特許請求の範囲】
【請求項１】
丸み持たせた  コの字形幅広パッキンを樋の出口内側に取り付け  水の逆流防止出来る様にすること
【請求項２】
コの字形幅広パッキンの内側に横向きに切目を入れること
【請求項３】
樋の出口内側に  コの字形幅広パッキンをマジックテープにて脱着できる様に取り付けること
【発明の詳細な説明】
【技術分野】
【０００１】  本発明は  回転できる様にした車輪の外周にエアータンク数十個を取り付け  その外側に固定した半円形の樋を取り付け  エアータンクが樋内を回転しながら通れる様にした  構造物を水槽内に設置したものです  その時に樋の出口より水の逆流防止する為の  コの字形幅広パッキンの発明である
【背景技術】
【０００２】  ３１１の震災以降は原子力発電の廃止が言われているが  風力  ソーラー等の自然エネルギーは設置場所の限定や気象条件の影響うけ度々エネルギー得られない時がある  火力発電  原子力発電のバックアップ無しでは成り立たないのが現状である
そこで  水と空気だけでエネルギー源を得て発電する  新エネルギー装置開発の一環の部品である  コの字形幅広パッキンの提供をするものです
【発明が解決しょうとする課題】
【０００３】  この発明は樋出口よりの水逆流防止が重要であり  その問題解決の為の  コの字形幅広パッキンの発明である
【問題解決の為の手段】
【０００４】  図面１は樋内への水逆流防止用  コの字形幅広パッキンの斜視図である
１は上と下に丸みを持たせた  コの字形幅広パッキンである  回転と取り付けをスムースにする為である  ２はパッキンの内側に横向きに切れ目を入れたものである  切れ目を入れる事により回転体の抵抗が小さくなりパッキンの磨耗が押さえられる
図面２は横面図である  一部水槽は断面図である
３は水逆流防止用  コの字形幅広パッキン取り付け部  樋の外側である  樋の内側にコの字形幅広パッキンを取り付けるものです  下側の樋出口より樋内に水の逆流防止する為である  取り付け方法はマジックテープにて脱着出来る様にしたり  又直接張り付けても良い  その他多数に取り付け方法はある  ４は半円形の樋である  水槽水位は樋入り口より低くする  上より水が入らない様にする為である
図３は  コの字形幅広パッキン取り付け部の断面図である  ９は樋内側  １０回転車輪側に付けた凸凹の水漏れ防止用パッキンの取り付け部である
【図１】
2013050098.tif 000003
【図２】
2013050098.tif 000004
【図３】
2013050098.tif 000005
【手続補正書】
【提出日】平成23年11月4日(2011.11.4)
【手続補正１】
【補正対象書類名】明細書
【補正対象項目名】全文
【補正方法】変更
【補正の内容】
【発明の詳細な説明】
【技術分野】
【０００１】  本発明は回転できる様にした車輪の外周にエアータンク数十個を取り付け  その外側に固定した半円形の樋を取り付け  エアータンクが樋内を回転しながら通れる様にした構造物を水槽内に設置したものである  その時に樋の出口より水の逆流防止する為の  コの字型幅広パッキンの発明である
【背景技術】
【０００２】  ３１１の震災以降は原子力発電の廃止が言われているが  風力  ソーラー等の自燃エネルギーは設置場所の限定や気象条件の影響うけ度々エネルギー得られない時がある  原子力  火力  発電のバックアップ無しでは成り立たないのが現状である
そこで水と空気だけでエネルギー源を得て発電する  新エネルギー装置開発の一環の部品である  コの字型幅広パッキンの提供をするものである
【発明が解決しようとする課題】
【０００３】  この発明は樋出口よりの水逆流防止が重要であり  その問題解決の為の  コの字型幅広パッキンの発明である
【問題解決の為の手段】
【０００４】  図面１は樋内への水逆流防止用  コの字型幅広パッキンの斜視図である  １は上と下に丸み持たせた  コの字型幅広パッキンである  回転と取り付けをスムースにする為である  ２はパッキンの内側に横向きに切れ目を入れたものである  切れ目を入れる事により回転体の抵抗が小さくなりパッキンの磨耗が押さえられる
図面２は横面図である  一部水槽は断面図である  ３は水逆流防止用  コの字型幅広パッキン取り付け部  樋の外側である  樋の内側にコの字型幅広パッキンを取り付けるものです  下側の樋出口より樋内に水の逆流防止する為である  取り付け方法はマジックテープにて脱着出来る様にしたり  又直接張りつけても良い  その他多数に取り付け方法は有る  ４は半円径の樋である  水槽水位は樋入り口より低くする  上より水が入らない様にする為である
図面３は  コの字型幅広パッキン取り付け部の断面図である  ９は樋内側１０は回転車輪側に付けた凸凹の水漏れ防止用パッキンの取り付け部である
【図面の簡単な説明】
【０００５】
【図１】  本発明の斜視図である
【図２】  本発明の横面図である
【図３】  本発明のパッキン取り付け部の断面図である
【符号の説明】
【０００６】１  コの字型幅広パッキン
２  パッキンの内側に横向きに入れた切れ目
３  水逆流防止パッキン取り付け部  樋
４  半円径の樋
５  回転車輪
６  エアータンク
７  水槽
８  水槽の水位
９  樋側に付けた二重パッキンの凸部
１０  回転車輪側に付けた二重パッキンの凹部
(57)【要約】【課題】  オフィスにおいてパソコンで人に見られたくない作業をしている時、いつの間にか後に人が立っており画面を覗かれていた。あるいは上司が自分の後ろを通りながら、画面を覗き自分の仕事内容をチェックしていた。その為パソコン使用時はいつでも文書を閉じられるよう常に背後を気にしながら作業していた。  本発明は以上のような問題点を解決する為のバックミラーを提供する。【解決手段】半球体のミラーを一見ミラーとはわからないように周囲に花びらを取り付けることによって花に見立て、その下部の葉部分と茎部分でパソコンディスプレーの上部に挟むようにして装着し他人に悟られないように背後を確認する。  以上の構成によりなるパソコン用バックミラー。【選択図】図１
2013050692.tif 000002
【特許請求の範囲】
【請求項１】
半球体のミラー部（１）の周辺に花びらを取り付けることによって花に見立て、半球体のミラー部（１）に直結した下部に葉部（２）を設け、葉部（２）の後部に半球体のミラー部（１）に直結して葉部（２）より長い茎部（３）を設けたパソコン用バックミラー。
【発明の詳細な説明】
【技術分野】
【０００１】  本発明はパソコンを使用する際に使用者の背後を映すパソコン用バックミラーである。
【背景技術】
【０００２】  オフィスにおいてパソコンで人に見られたくない作業をする時常に背後に気をつけながら作業していた。そして人が近づいて来た時には急いで文書を閉じていた。
【発明の概要】
【発明が解決しようとする課題】
【０００３】  オフィスにおいてパソコンで人に見られたくない作業をしている時、いつの間にか後に人が立っており画面を覗かれていた。あるいは上司が自分の後ろを通りながら、画面を覗き自分の仕事内容をチェックしていた。その為パソコン使用時にはいつでも文書を閉じられるよう常に背後を気にしながら作業していた。
本発明は以上のような問題点を解決する為になされたものである。
【課題を解決するための手段】
【０００４】  半球体のミラー部の周辺に花びらを取り付けることによって花に見立て、半球体のミラー部に直結した下部に葉部を設け、葉部の後部に半球体のミラー部に直結して葉部より長い茎部を設ける。
以上の構成によりなるパソコン用バックミラー。
【発明の効果】
【０００５】  パソコン使用時に背後を自由に確認できることになると、仕事の効率が格段に上がる。
本発明は半球体なので背後のみならず使用者が周囲３６０度を確認できるようになる。
また、本発明は一見バックミラーとはわかり難く人に気づかれず周囲を確認できる。
そして本発明は取り外しが簡単なので移動先のパソコンにも自由に取り付けられる。
加えて本発明によりパソコン周りに花を添える効果が期待できる。
【図面の簡単な説明】
【０００６】
【図１】  本発明の正面図
【図２】  本発明の横図
【図３】  本発明の使用状態を示す斜視図
【発明を実施するための形態】
【０００７】  以下、本発明の実施の形態を説明する。
（イ）半球体のミラー部（１）の周辺に花びらを取り付けることによって花に見立てた形状にする。
（ロ）半球体のミラー部（１）に直結した下部に葉部（２）を設ける。
（ハ）葉部（２）の後部に半球体のミラー部（１）に直結して葉部（２）より長い茎部（３）を設ける。
本発明は以上のような構造である。
本発明を使用する時はパソコン使用時にディスプレー上部の任意の場所に葉部（２）をディスプレー前面に出し、茎部（３）をディスプレー後部に垂らす。
つまり葉部（２）と茎部（３）でディスプレーを挟む形で装着する。
パソコンを正面から見るとディスプレー上部には半球体のミラー部（１）の花と葉部（２）のみが見える。
【符号の説明】
【０００８】  １  半球体のミラー部、２  葉部、３  茎部
【図１】
2013050692.tif 000003
【図２】
2013050692.tif 000004
【図３】
2013050692.tif 000005